(57)【要約】【課題】集合管継手の横枝管受け口を詰まり難い状態で小径化し、その集合管継手を小型化すること、及び排水横枝管のサイズを小径化して排水設備のコスト低減を図ることを目的とする。【解決手段】本発明に係る集合管継手は、汚水を流す排水横枝管４が接続される汚水用の横枝管受け口２４と、その汚水用の横枝管受け口２４と胴部とを連通させる受け口管とは同軸に形成されて、汚水用の横枝管受け口２４、及び受け口管の中心軸線Ｔｘが胴部の中心軸線Ｔｃと交差しており、汚水用の横枝管受け口２４は、呼び径50mm、又は呼び径65mmの排水横枝管４が接続可能なように構成されていることを特徴とする。【選択図】図１
2007297808.tif 000002
【特許請求の範囲】
【請求項１】
上階に設けられた複数本の排水横枝管、及び排水立て管を下階の排水立て管に接続する集合管継手であって、
縦向きに設置される筒状の胴部と、
横並び状態で同一方向を指向して形成されており、同じく横並び状態で平行に配管された前記複数本の排水横枝管がそれぞれ接続される複数の横枝管受け口と、
前記胴部と、各々の前記横枝管受け口とを連通させる複数本の受け口管と、
前記胴部の上端に形成されており、上階の排水立て管が接続される上部受け口と、
前記胴部の下端に形成されており、下階の排水立て管が接続される下部接続部とを有しており、
汚水を流す排水横枝管が接続される汚水用の横枝管受け口と、その汚水用の横枝管受け口と前記胴部とを連通させる受け口管とは同軸に形成されて、前記汚水用の横枝管受け口、及び受け口管の中心軸線が前記胴部の中心軸線と交差しており、
前記汚水用の横枝管受け口は、呼び径50mm、又は呼び径65mmの前記排水横枝管が接続可能なように構成されていることを特徴とする集合管継手。
【請求項２】
請求項１に記載された集合管継手であって、
前記胴部には、一対のエルボー状の受け口管が左右対称に接続されており、それらエルボー状の受け口管の中央に汚水用の受け口管が直管状に配置されていることを特徴とする集合管継手。
【請求項３】
請求項１、又は請求項２のいずれかに記載された集合管継手であって、
エルボー状の受け口管は取り外し可能な状態で、前記胴部に接続されていることを特徴とする集合管継手。
【請求項４】
請求項１、又は請求項２のいずれかに記載された集合管継手であって、
エルボー状の受け口管は、前記胴部と一体化されていることを特徴とする集合管継手。
【請求項５】
請求項３に記載された集合管継手であって、
エルボー状の受け口管は、胴部の中心軸線と交差するその受け口管の中心軸線回りに回転して横枝管受け口の向きを変えられるように構成されていることを特徴とする集合管継手。
【請求項６】
上階に設けられた複数本の排水横枝管、及び排水立て管を請求項１から請求項５に記載された集合管継手によって下階の排水立て管に接続する構成の排水設備であって、
汚水用の横枝管受け口には、高低差を利用して排水を流す構成の排水横枝管を介して超節水6リットル便器が接続されていることを特徴とする排水設備。
【発明の詳細な説明】
【技術分野】
【０００１】
本発明は、上階に設けられた複数本の排水横枝管、及び排水立て管を下階の排水立て管に接続する集合管継手、及びその集合管継手を用いた排水設備に関する。
【背景技術】
【０００２】
上記した集合管継手としては種々のものが提案されている。
例えば、特許文献１に記載の集合管継手は、上下に排水立て管の接続部が設けられた胴部を備えており、その胴部に少なくとも三個の横枝管受け口が設けられている。そして、それらの横枝管受け口の内径寸法が75mm以上に設定されている。
このため、横枝管受け口に接続される排水横枝管のサイズもその横枝管受け口の径寸法に合わせて設定されている。
【０００３】
【特許文献１】特開２００４−１６９３２９公報
【発明の開示】
【発明が解決しようとする課題】
【０００４】
近年、資源の有効利用の観点から節水対策を施した衛生器具、例えば、超節水6リットル便器等が多用されるようになってきた。このような、超節水便器の場合、一度に流す排水量が少なくなるため、上記した径寸法が75mm以上の排水横枝管では所定の水深を確保するのが難しい。さらに、近年のＳＩ住宅等では共用部のパイプスペースに排水を集合させる構成のため、前記パイプスペースまで排水横枝管を配管する必要があり、排水横枝管の配管長が長くなる傾向にある。即ち、所定の水深を確保できない状態で、排水を長距離流すようになるため、排水横枝管で詰まりが発生し易くなるという問題がある。
さらに、上記した集合管継手では、胴部に設けられた横枝管受け口が内径75mm以上に設定されているため、集合管継手が比較的大型になり、また排水横枝管も大径化するため排水設備のコストが高くなる。
【０００５】
本発明は、上記問題点を解決するためになされたものであり、本発明が解決しようとする課題は、集合管継手の横枝管受け口を詰まり難い状態で小径化すること、及び排水横枝管を流れる排水の水深を確保して、排水横枝管を詰まり難くすることを目的とする。
【課題を解決するための手段】
【０００６】
上記した課題は、各請求項の発明によって解決される。
請求項１の発明は、上階に設けられた複数本の排水横枝管、及び排水立て管を下階の排水立て管に接続する集合管継手であって、縦向きに設置される筒状の胴部と、横並び状態で同一方向を指向して形成されており、同じく横並び状態で平行に配管された前記複数本の排水横枝管がそれぞれ接続される複数の横枝管受け口と、前記胴部と、各々の前記横枝管受け口とを連通させる複数本の受け口管と、前記胴部の上端に形成されており、上階の排水立て管が接続される上部受け口と、前記胴部の下端に形成されており、下階の排水立て管が接続される下部接続部とを有しており、汚水を流す排水横枝管が接続される汚水用の横枝管受け口と、その汚水用の横枝管受け口と前記胴部とを連通させる受け口管とは同軸に形成されて、前記汚水用の横枝管受け口、及び受け口管の中心軸線が前記胴部の中心軸線と交差しており、前記汚水用の横枝管受け口は、呼び径50mm、又は呼び径65mmの前記排水横枝管が接続可能なように構成されていることを特徴とする。
【０００７】
本発明によると、汚水用の横枝管受け口を呼び径50mm、又は呼び径65mmに構成できるため、他の雑排水用の横枝管受け口を汚水用の横枝管受け口と同サイズ、あるいはそれ以下に設定でき、集合管継手を小型化できる。さらに、排水横枝管のサイズも横枝管受け口に合わせて小径化できるため、節水型の衛生器具から流れ出る排水量が少ない場合でも前記排水横枝管内で所定の水深を確保することができる。このため、排水横枝管の配管長が長い場合でも排水横枝管内で詰まりが発生し難くなる。
また、汚水用の横枝管受け口と、受け口管とは同軸で、その汚水用の横枝管受け口、及び受け口管の中心軸線が胴部の中心軸線と交差している。このため、汚水用の横枝管受け口と胴部との間に曲がり部が存在せず、その汚水用の横枝管受け口と胴部との間の流体抵抗が小さくなる。このため、汚水用の横枝管受け口を比較的小径に設定しても、その汚水用の横枝管受け口と胴部との間で詰まりが発生し難くなる。
【０００８】
請求項２の発明によると、胴部には、一対のエルボー状の受け口管が左右対称に接続されており、それらエルボー状の受け口管の中央に汚水用の受け口管が直管状に配置されていることを特徴とする。
請求項３の発明によると、エルボー状の受け口管は取り外し可能な状態で、前記胴部に接続されていることを特徴とする。
請求項４の発明によると、エルボー状の受け口管は、前記胴部と一体化されていることを特徴とする。
請求項５の発明によると、エルボー状の受け口管は、胴部の中心軸線と交差するその受け口管の中心軸線回りに回転して横枝管受け口の向きを変えられるように構成されていることを特徴とする。
【０００９】
請求項６の発明は、上階に設けられた複数本の排水横枝管、及び排水立て管を請求項１から請求項５に記載された集合管継手によって下階の排水立て管に接続する構成の排水設備であって、汚水用の横枝管受け口には、高低差を利用して排水を流す構成の排水横枝管を介して超節水6リットル便器が接続されていることを特徴とする。
【発明の効果】
【００１０】
本発明によると、集合管継手の横枝管受け口を詰まり難い状態で小径化できるようになり、集合管継手を小型化できる。さらに、排水横枝管も小径化できるため排水設備のコスト低減を図ることができる。また、排水横枝管を流れる排水の水深を確保して、排水横枝管を詰まり難くすることができる。
【発明を実施するための最良の形態】
【００１１】
［実施形態１］
以下、図１から図４に基づいて本発明の実施形態１に係る集合管継手及びその集合管継手を使用した排水設備の説明を行なう。
本実施形態の集合管継手は、高層ビル、又は高層集合住宅の排水設備に使用される集合管継手であり、図１にその集合管継手の取付け平面図等が示されている。図２は集合管継手の平面図、及び側面図であり、図３、図４は、集合管継手の変更例を表す平面図等である。
ＳＩ住宅等、近年の集合住宅では、上階Ａと下階Ｂとを仕切るコンクリートスラブＣＳの上が、図１に示すように、防火区画壁Ｃｆによって住戸側Ｐｒと廊下側Ｃｙとに仕切られており、廊下側Ｃｙに排水管継手１０、及び排水立て管２等が設置される共用部のパイプスペースＣｍが設けられている。パイプスペースＣｍの床部（コンクリートスラブＣＳ）には、図２（Ｂ）に示すように、所定位置に貫通孔Ｃｈが形成されており、その貫通孔Ｃｈに排水管継手１０の胴部１１が縦向きに通されるようになっている。
【００１２】
＜集合管継手１０について＞
本実施形態に係る集合管継手１０は、上階Ａの排水立て管２、雑排水用の第１、第３排水横枝管３，５、及び汚水用の第２排水横枝管４を下階Ｂの排水立て管２に接続する管継手であり、前述のように、コンクリートスラブＣＳの貫通孔Ｃｈに通される円筒状の胴部１１を備えている。
集合管継手１０の胴部１１は、図２（Ｂ）に示すように、上下分割式であり、上胴体１１ａと下胴体１１ｂとから構成されている。そして、上胴体１１ａの下部フランジ４１と下胴体１１ｂの上部フランジ４２とがパッキン（図示省略）を介して水密な状態で同軸に接続されている。
胴部１１の上胴体１１ａの上端部には、前記上階Ａの排水立て管２の下端部が挿入接続される上部受け口２２が形成されている。上部受け口２２の内側には、排水立て管２の下端部と上部受け口２２間を水密な状態でシールする略筒状のシール材（図示省略）が嵌め込まれている。ここで、上部受け口２２は呼び径100mmの排水立て管２が挿入接続可能に構成されている。また、上胴体１１ａの外周面には上下方向に延びる制振リブ１１ｒが形成されている。
【００１３】
胴部１１の下胴体１１ｂの上側面には、上部フランジ４２の下側に中央横枝管受け口部２４が形成されている。中央横枝管受け口部２４は、図２（Ａ）に示すように、胴部１１の中心線（軸線）Ｔｃに対して直交する直線Ｔｘを中心線とする直管状に形成されており、呼び径が65mmの汚水用の第２排水横枝管４が挿入接続可能に構成されている。即ち、中央横枝管受け口部２４が本発明の汚水用の横枝管受け口、及びその汚水用の横枝管受け口と胴部とを連通させる受け口管に相当する。なお、中央横枝管受け口部２４の内側にも上部受け口２２と同様に前記シール材が嵌め込まれている。
また、胴部１１の下胴体１１ｂの上側面には、中央横枝管受け口部２４から胴部１１の軸心回りに略90°左方向に回転した位置に左受け口２５が形成されており、同じく中央横枝管受け口部２４から胴部１１の軸心回りに略90°右方向に回転した位置に右受け口２６が形成されている。左右の受け口２５，２６は、胴部１１の中心線（軸線）Ｔｃに対して直交する直線Ｔｙを中心線とする直管状に形成されており、呼び径が65mmのエルボー状の受け口管２８，２９が挿入接続可能に構成されている。なお、左右の受け口２５，２６の内側にも上部受け口２２と同様に前記シール材が嵌め込まれている。
【００１４】
エルボー状の左受け口管２８は、左受け口２５の中心線Ｔｙ（中央横枝管受け口部２４の中心線Ｔｘに対して直角な直線（第１の直線））を中心線とする挿し口２８ｓと、中央横枝管受け口部２４の中心線Ｔｘと平行な第２の直線Ｔｚを中心線とする横枝管受け口２８ｕと、その第１、第２の直線Ｔｙ，Ｔｚを結ぶ円弧線Ｔｒとを中心線とする円弧状の曲がり管２８ｗとから構成されている。そして、左受け口管２８の挿し口２８ｓが下胴体１１ｂの左受け口２５に挿入接続された状態で、その左受け口管２８の横枝管受け口２８ｕが下胴体１１ｂの中央横枝管受け口部２４と横並び状態で同方向を指向するようになる。ここで、左受け口管２８の横枝管受け口２８ｕの外側面には、図２（Ｂ）に示すように、コンクリートスラブＣＳの上面に対する左受け口管２８のレベル調整を行なうためのネジ式ジャッキ機構２８ｍが設けられている。これによって、左受け口管２８の横枝管受け口２８ｕのレベルを中央横枝管受け口部２４のレベルに合わせることが可能になる。
【００１５】
また、下胴体１１ｂの右受け口２６に接続されるエルボー状の右受け口管２９は、上記した左受け口管２８と左右対称形であり、かつ等しい構造で製作されている。ここで、左右の受け口管２８，２９の横枝管受け口２８ｕ，２９ｕは呼び径が65mmの雑排水用の排水横枝管３，５が挿入接続可能に構成されており、それら横枝管受け口２８ｕ，２９ｕの内側にも上部受け口２２と同様に前記シール材が嵌め込まれている。即ち、胴部１１の下胴体１１ｂの上部には、図１に示すように、平行に配管される三本の排水横枝管３，４，５がそれぞれ接続される三個の横枝管受け口２８ｕ，２４，２９ｕが横並び状態で同一方向を指向して形成されている。
【００１６】
集合管継手１０の胴部１１の下胴体１１ｂには、中央横枝管受け口部２４と中心を挟んで反対側の位置に蓋付掃除口２７が設けられている。
また、集合管継手１０の下胴体１１ｂは、図２（Ｂ）に示すように、左右の受け口２５，２６、及び中央横枝管受け口部２４の下側が上胴体１１ａとほぼ等しい径寸法の大径部１１ｆとなっており、その大径部１１ｆの下側にテーパ部１１ｔを介して排水立て管２と等しい径寸法の下部直管１１ｘが形成されている。そして、その下部直管１１ｘの下端に下階Ｂの排水立て管２の上端部（直管）が挿入可能なフランジ付き受け口４３が形成されている。さらに、集合管継手１０の下胴体１１ｂの内壁面には、大径部１１ｆからテーパ部１１ｔにかけて流下する排水を旋回させるための旋回ガイド４４が形成されている。
【００１７】
＜集合管継手１０を使用した排水設備の配管施工手順について＞
次に、図１、図２（Ｂ）に基づいて、集合管継手１０を使用した排水設備の配管施工手順について説明する。
集合管継手１０の胴部１１が、図２（Ｂ）に示すように、コンクリートスラブＣＳの貫通孔Ｃｈに通されて、その胴部１１に設けられた左右の受け口２５，２６、及び中央横枝管受け口部２４がコンクリートスラブＣＳの上面に支持されると、ネジ式ジャッキ機構２８ｍ，２９ｍによって左右の受け口管２８，２９の横枝管受け口２８ｕ，２９ｕのレベルが中央横枝管受け口部２４のレベルに合わせられる。次に、図１に示すように、防火区画壁Ｃｆの配管用開口（図示省略）に第１〜第３排水横枝管３，４，５が通され、第１排水横枝管３が集合管継手１０の左側の横枝管受け口２８ｕに接続される。また、第２排水横枝管４が集合管継手１０の中央横枝管受け口部２４、第３排水横枝管５が集合管継手１０の右側の横枝管受け口２９ｕに接続される。次に、第１排水横枝管３〜第３排水横枝管５の端部にソケット３ｓ，４ｓ，５ｓを介して住戸側の第１排水横枝管３ｐ〜第３排水横枝管５ｐが接続される。
ここで、集合管継手１０は耐火性等を考慮して鋳鉄製のものが使用される。また、防火区画Ｃｆを貫通する第１排水横枝管３〜第３排水横枝管５も耐火性等を考慮して鋳鉄管等が使用される。そして、防火区画壁Ｃｆから1m以上離れた位置に前記ソケット３ｓ，４ｓ，５ｓが設けられ、それらのソケット３ｓ，４ｓ，５ｓによって鋳鉄製の第１排水横枝管３〜第３排水横枝管５と、例えば、塩ビ製の第１排水横枝管３ｐ〜第３排水横枝管５ｐとが接続される。そして、第１排水横枝管３ｐ、第３排水横枝管５ｐの上流端に台所流し台、洗面台、浴室ユニット等が接続される。また、第２排水横枝管４ｐの上流端に超節水6リットル便器等が接続される。
【００１８】
＜本実施形態に係る集合管継手１０の長所＞
本実施形態に係る集合管継手１０によると、中央横枝管受け口部２４、即ち、汚水用の横枝管受け口２４を呼び径65mmに構成できるため、他の雑排水用の横枝管受け口２８ｕ，２９ｕを汚水用の横枝管受け口２４と同サイズ、あるいはそれ以下に設定でき、集合管継手１０を小型化できる。
さらに、排水横枝管３，４，５のサイズも横枝管受け口２４，２８ｕ，２９ｕに合わせて小径化できるため、節水型の衛生器具から流れ出る排水量が少ない場合でも排水横枝管３，４，５内で所定の水深を確保することができる。このため、排水横枝管３，４，５の配管長が長い場合でも排水横枝管３，４，５内で詰まりが発生し難くなる。
また、中央横枝管受け口部２４（汚水用の横枝管受け口２４、及び受け口管）の中心軸線Ｔｘが胴部１１の中心軸線Ｔｃと交差している。即ち、汚水用の横枝管受け口２４と胴部１１との間に曲がり部が存在せず、その汚水用の横枝管受け口２４と胴部１１との間の流体抵抗が小さくなる。このため、汚水用の横枝管受け口２４を比較的小径に設定しても、その汚水用の横枝管受け口２４と胴部１１との間で詰まりが発生し難くなる。
さらに、集合管継手１０を小型化でき、また排水横枝管３，４，５のサイズも小径化できるため、排水設備のコスト低減を図ることができる。
【００１９】
＜変更例＞
本実施形態では、図２等に示すように、上下分割式の胴部１１を備える集合管継手１０について説明したが、図３（Ａ）（Ｂ）に示すように、上下一体型の胴部１１を備える集合管継手５０に本発明を適用することも可能である。また、蓋付掃除口２７を備える集合管継手５０を例示したが、蓋付掃除口２７を有しない集合管継手に本発明を適用することも可能である。
また、本実施形態では、胴部１１の下端部にフランジ付き受け口４３を備える集合管継手１０，５０を例示したが、フランジ付き受け口４３の代わりに直管部を設け、その直管部が下階Ｂの排水立て管２の受け口に挿入される構成でも可能である。
また、本実施形態では、胴部１１がコンクリートスラブＣＳの貫通孔Ｃｈに挿入されるタイプの集合管継手１０，５０を例示したが、コンクリートスラブＣＳの上面で下階Ｂの排水立て管２の受け口に接続される形式の集合管継手に本発明を適用することも可能である。
【００２０】
また、本実施形態では、三方の横枝管受け口２４，２８ｕ，２９ｕのサイズを全て呼び径65mmに設定する例を示したが、中央横枝管受け口部２４を呼び径65mmにして、両側の横枝管受け口２８ｕ，２９ｕを中央よりも小さくすることも可能である。また、中央横枝管受け口部２４を呼び径50mmに設定することも可能である。
さらに、本実施形態では、エルボー状の受け口管２８，２９を左右両側に設けた集合管継手１０，５０を例示したが、図４に示すようにエルボー状の受け口管２９を片側にのみ設けた集合管継手６０も可能である。
また、本実施形態では、集合管継手１０，５０の胴部１１からエルボー状の受け口管２８，２９を取外し可能な構成を例示したが、胴部１１とエルボー状の受け口管２８，２９とを一体化することも可能である。
また、エルボー状の受け口管２８、２９は、中心線となる第１の直線Ｔｙ回りに回転可能に構成されているため、横枝管受け口２８ｕ，２９ｕの向きを変えることも可能である。
【図面の簡単な説明】
【００２１】
【図１】本発明の実施形態１に係る集合管継手の取付け平面図である。
【図２】集合管継手の平面図（Ａ図）、及び取付け側面図（Ｂ図）である。
【図３】変更例に係る集合管継手の平面図（Ａ図）、及び取付け側面図（Ｂ図）である。
【図４】変更例に係る集合管継手の平面図である。
【符号の説明】
【００２２】
２        排水立て管
３        第１排水横枝管
４        第２排水横枝管
５        第３排水横枝管
１１      胴部
２４      中央横枝管受け口部（汚水用の横枝管受け口、及び受け口管）
２８      左受け口管
２８ｕ    横枝管受け口
２９      右受け口管
２９ｕ    横枝管受け口
Ｔｃ      胴部の中心線（中心軸線）
Ｔｘ      中央横枝管受け口部の中心線（中心軸線）
【図１】
2007297808.tif 000003
【図２】
2007297808.tif 000004
【図３】
2007297808.tif 000005
【図４】
2007297808.tif 000006